(57)【要約】【課題】身体不自由者の自立を促しつつもベッドでの就寝・起床を正確に補助できる機能を有するベッド用アダプタを提供する。【解決手段】本考案のベッド用アダプタ１００は、ベッドの上部に取り付け可能な第１取り付け部１と、前記第１取り付け部１に取り付け可能なフック３と、を備え、前記第１取り付け部１は、鉛直方向において、前記ベッドの座面と重なる位置に、配置可能であり、前記フック３は、前記第１取り付け部１の取り付け位置を基準に、回転可能である。【選択図】図１
0003172953.tif 000002
【実用新案登録請求の範囲】
【請求項１】
ベッドの上部に取り付け可能な第１取り付け部と、
前記第１取り付け部に取り付け可能なフックと、を備え、
前記第１取り付け部は、鉛直方向において、前記ベッドの座面と重なる位置に、配置可能であり、
前記フックは、前記第１取り付け部の取り付け位置を基準に、回転可能である、ベッド用アダプタ。
【請求項２】
前記フックは、略三角形、略円形、略楕円形および略多角形の少なくとも一つの外形を有するリング状であり、使用者により手で把持可能である、請求項１記載のベッド用アダプタ。
【請求項３】
前記フックの外形が前記ベッドの長手方向に略平行となるように、前記フックは、前記第１取り付け部に取り付けられる、請求項１又は２記載のベッド用アダプタ。
【請求項４】
前記フックは、前記ベッドの座面からの高さを調整可能である、請求項１から３のいずれか記載のベッド用アダプタ。
【請求項５】
前記ベッドの下部に取り付け可能な第２取り付け部と、
前記第１取り付け部および前記第２取り付け部を結ぶラインと、を更に備え、
前記第１取り付け部の前記ベッドの座面からの高さは、前記第２取り付け部の前記ベッドの座面からの高さよりも高い、請求項１から４のいずれか記載のベッド用アダプタ。
【請求項６】
前記ラインは、前記第１取り付け部から前記第２取り付け部にかけて、たるみを有する、請求項１から５のいずれか記載のベッド用アダプタ。
【請求項７】
前記ラインのたわみは、調整可能である、請求項６記載のベッド用アダプタ。
【請求項８】
前記第１取り付け部は、前記ベッドの短手方向に略平行なバーを有し、前記ラインの一端および前記フックは、前記バーに取り付けられる、請求項５から７のいずれか記載のベッド用アダプタ。
【請求項９】
前記フックは、前記バーにおいて、使用者が前記ベッドに就寝する際に使用する側に取り付けられ、前記ラインは、使用者が起床する際に使用する側に取り付けられる、請求項８記載のベッド用アダプタ。
【請求項１０】
使用者が、前記フックを把持することを補助する手すりを更に備える、請求項１から９のいずれか記載のベッド用アダプタ。
【請求項１１】
請求項１から１０のいずれか記載のベッド用アダプタと、
前記第１取り付け部が取り付けられる上部と、
前記第２取り付け部が取り付けられる下部と、
前記上部と前記下部に広がる座面と、を備えるベッド。
【考案の詳細な説明】
【技術分野】
【０００１】
本考案は、ベッドに取り付けるベッド用アダプタであって、身体の衰えや不自由を感じる使用者を介助しつつも自立を維持するベッド用アダプタおよびベッドに関する。
【背景技術】
【０００２】
我が国では、高齢化が進行しており、近い将来には人口の３０％以上が高齢者という状態になろうとしている。高齢者は、加齢によって身体の衰えを生じていたり、病気や怪我によって身体に不自由を生じさせていたりすることが多い。もちろん、高齢者でなくとも、病気や怪我によって身体に不自由を有している身体障害者もいる。これらの不自由や衰えを有している人は、生活の様々な場面で不自由を感じることが多い。
【０００３】
このような身体の衰えや不自由を有する高齢者や身体障害者の人（以下、「身体不自由者」とする）は、生活の様々な場面で遭遇する不自由を解消するために、様々な道具を用いることが多い。また、様々な道具でなくとも、家電製品や家具などにおいて、身体不自由者を介助する工夫が施されていることが多い。
【０００４】
身体不自由者は、生活の様々な場面で不自由を感じることが多いが、一つの場面として就寝に不便を感じることが多い。例えばベッドや布団に就寝する場合、寝るに際しても起き上がるに際しても、身体不自由者は、不自由を感じることがある。体力の衰え、身体の不自由が原因である。ベッドに就寝するさいには、立ち上がっている状態から身体を折り曲げて腰を落とさなければならない。あるいは、ベッドから起き上がるに際しては、寝ている状態から、身体の向きを変えつつ、上半身を起こしてから身体全体を起こす必要がある。身体不自由者にとっては、これ等の動作は非常に苦しいことがあり、困難を伴うことが多い。
【０００５】
ここでは、ベッドへの就寝（あるいは起床）を例として説明したが、これ以外の場面や動作においても同様の問題は生じる。
【０００６】
このような環境において、介助や介護における容易性を高める技術が様々に提案されている（例えば、特許文献１，２，３，４参照）。
【先行技術文献】
【特許文献】
【０００７】
【特許文献１】特開２００７−２９３４２号公報
【特許文献２】特開２００８−６２００３号公報
【特許文献３】特開２００２−１２６０１５号公報
【特許文献４】特開２００８−２３７８５５号公報
【考案の概要】
【考案が解決しようとする課題】
【０００８】
特許文献１は、電動でベッドの上部分を自動上昇させる電動ベッドに必要となる物品ホルダーの技術を開示する。物品ホルダーそのものは、身体不自由者の介助に関るものではないが、電動で上半身を起こす電動ベッドなどの技術は以前より様々に提案されている。このような電動ベッドは、身体不自由者にとっては、起き上がることが介助されて非常に楽である。このような電動ベッドにあわせて、物品ホルダーも備わると身体不自由者にとっては、非常に便利である。
【０００９】
しかしながら、電動ベッドは、自動で就寝している身体不自由者の上半身を起こす。確かに身体不自由者にとっては楽であるが、本人の自立を損なうことになる。楽であるがゆえに、使用する身体不自由者は、筋力が衰え、身体の不自由や衰えを加速させてしまうことになる。このような不自由や衰えの加速は、要介護者になってしまうまでの期間を短くしてしまう。最終的には介護を受けることが必要な状態を生じさせてしまう問題がある。
【００１０】
特許文献２は、紐を用いて寝たきりの人間の下半身を起こす技術を開示する。いわゆる、寝たきりの要介護者のオムツを交換する際に使用される技術であり、実際にベッドに寝ている身体不自由者が使用する場合よりも、介護する介護者が使用する場合が多い。
【００１１】
このため、特許文献２も、身体不自由者の自立を促したり、自立期間を増加させたりすることにはならず、要介護者までの時間を短縮させてしまう。すなわち、特許文献１に開示される技術と同様に、特許文献２の技術は、身体不自由者の自立を促したり、要介護者となりにくいようにしたりできない。
【００１２】
特許文献３は、電動リフトを備える介護ベッドであって、電動リフトによって、身体不自由者の起き上がりを介助する技術を開示する。当然ながら、電動リフトによって身体不自由者の起き上がりを介助できるので、身体に衰えや不自由を有する高齢者などにとっては、起き上がりが楽になる。介護を行う介護者にとっても便利である。
【００１３】
しかしながら、特許文献３に開示される技術も、身体不自由者の動作を自動で介助するだけであり（介助というよりも、自動で動作を肩代わりするといったほうが適切である）、身体不自由者の自立を促すことにならない。もちろん、自立を促さない技術であれば、身体不自由者を要介護者の状態に早期に移行させてしまう問題もある。
【００１４】
特許文献４は、フックによって人体の向きを変える技術を開示する。しかしながら、身体の向きを変える事を補助するだけでは、実際のベッドや布団への就寝及び起床を補助することはできない。もちろん、特許文献４は、身体不自由者本人が使用するだけでなく、介護者が使用することも含んでいるので、特許文献１〜３と同様に、身体不自由者の自立を促すことに繋がらない問題がある。
【００１５】
以上のように、従来は、身体不自由者のベッドにおける就寝や起床を、自動化されたベッド等で介助する技術提案が中心であった。すなわち、ベッドの上半身が電動で上下することで、身体不自由者の就寝や起床を介助する技術などである。あるいは、ベッドのサイドがスライド等して、身体不自由者が、ベッドの座面から外へ移動することを助けたりする技術である。
【００１６】
しかしながら、これらの技術は、身体不自由者の動作を自動で介助してしまうので、介護者にとっても身体不自由者にとっても確かに楽であるが、身体不自由者の身体的な衰えを加速させてしまう。身体不自由者は、より楽な動作になれてしまい、自らの衰えを防止する意識や行動をもたなくなってしまうからである。このため、身体不自由者が、他人の介護を多く必要とする要介護者に早期に移行してしまう問題がある。要介護者が増加することは、医療費や福祉予算に大きな問題である。高齢者の割合が多い日本では、可能な限り、高齢者が長い期間に渡って自立していることが重要である。このような状況において、身体不自由者の動作を自動で介助する従来技術は、要介護者の増加、要介護者への移行期間の短縮、医療費や福祉予算の増加といった問題を生じさせる。
【００１７】
今後は、要介護者となる時期をできるだけ遅らせる「介護予防」を目的とする、身体不自由者の補助を行うことが求められている。
【００１８】
また、電動ベッドも含めた従来技術は、身体不自由者の就寝や起床の動作を十分に分析しないままであることが多い。例えば、電動ベッドは、上半身を起こすだけの動作であるし、特許文献４は、フックにより使用者の身体の向きを変えるだけである。これだけでは、立位から身体をベッドの座面に降ろして、身体の向きを変えて座面に寝る就寝動作や、座面で身体の向きを変えつつ上半身から徐々に身体を起こす起床動作を、十分に補助できるものではない。
【００１９】
以上のように、従来技術は、身体不自由者の自立を促したり介護予防を目指したりすることができず、ベッドでの就寝・起床を正確に補助できる機能を有していない問題があった。
【００２０】
本考案は、このような課題を解決することを目的とし、身体不自由者の自立を促しつつもベッドでの就寝・起床を正確に補助できる機能を有するベッド用アダプタを提供することを目的とする。
【課題を解決するための手段】
【００２１】
上記課題を解決するために、本考案のベッド用アダプタは、ベッドの上部に取り付け可能な第１取り付け部と、第１取り付け部に取り付け可能なフックと、を備え、第１取り付け部は、鉛直方向において、ベッドの座面と重なる位置に、配置可能であり、フックは、第１取り付け部の取り付け位置を基準に、回転可能である。
【考案の効果】
【００２２】
本考案のベッド用アダプタは、身体不自由者が就寝する際に、ベッドの座面に腰を降ろしてからだの向きを変えて、座面に身体を乗せることを補助する。すなわち、就寝に必要な動作である（１）立位から座面に腰を降ろす、（２）座面に座った状態で身体の向きを変える、（３）向きを変えてから座面に身体を降ろす、とのそれぞれを適切に補助できる。
【００２３】
加えて、本考案のベッド用アダプタは、身体障害者が起床する際に、上半身を起こしつつ身体の向きを変えて、座面に起き上がる動作を補助する。すなわち、起床に必要な動作である、（４）上半身を座面より浮かせる、（５）上半身を浮かしつつ、座面においてからだの向きを変える、（６）からだの向きを変えつつ上半身を完全に起こす、とのそれぞれを適切に補助できる。
【００２４】
これらの結果、身体不自由者は、自らの動作と体力によって、ベッドへの就寝と起床を行うことができるので、ベッド用アダプタは、身体不自由者の自立を促すことができる。結果として、要介護者となってしまうまでの期間を長くでき、介護予防に適したベッド用アダプタが実現される。
【図面の簡単な説明】
【００２５】
【図１】本考案の実施の形態１におけるベッド用アダプタのパターン１における斜視図である。
【図２】本考案の実施の形態１におけるベッド用アダプタの斜視図である。
【図３】本考案の実施の形態１におけるベッド用アダプタが装着されるベッドの一例の斜視図である。
【図４】本考案の実施の形態１におけるベッド用アダプタを装着したベッドの斜視図である。
【図５】本考案の実施の形態１におけるベッド用アダプタによる就寝開始を示す斜視図である。
【図６】本考案の実施の形態１におけるベッド用アダプタによる就寝移行を示す斜視図である。
【図７】本考案の実施の形態１における起床を説明する説明図である。
【図８】本考案の実施の形態１における起床を説明する説明図である。
【図９】本考案の実施の形態２におけるベッドの斜視図である。
【考案を実施するための形態】
【００２６】
本考案の第１の考案に係るベッド用アダプタは、ベッドの上部に取り付け可能な第１取り付け部と、第１取り付け部に取り付け可能なフックと、を備え、第１取り付け部は、鉛直方向において、ベッドの座面と重なる位置に、配置可能であり、フックは、第１取り付け部の取り付け位置を基準に、回転可能である。
【００２７】
この構成により、ベッド用アダプタは、フックの回転を利用して、身体の向きを変える、身体を下げる、身体を上げる、身体の向きを変える、といった要素に分解される就寝と起床の動作を、補助できる。
【００２８】
本考案の第２の考案に係るベッド用アダプタでは、第１の考案に加えて、フックは、略三角形、略円形、略楕円形および略多角形の少なくとも一つの外形を有するリング状であり、使用者により手で把持可能である。
【００２９】
この構成により、フックは、容易に把持される。
【００３０】
本考案の第３の考案に係るベッド用アダプタでは、第１又は第２の考案に加えて、フックの外形がベッドの長手方向に略平行となるように、フックは、第１取り付け部に取り付けられる。
【００３１】
この構成により、使用者がベッドの端に腰掛けた際に、フックを把持しやすくなる。
【００３２】
本考案の第４の考案に係るベッド用アダプタでは、第１から第３のいずれかの考案に加えて、フックは、ベッドの座面からの高さを調整可能である。
【００３３】
この構成により、使用者の体形に合わせて、フックが使用される。
【００３４】
本考案の第５の考案に係るベッド用アダプタでは、第１から第４のいずれかの考案に加えて、ベッドの下部に取り付け可能な第２取り付け部と、第１取り付け部および第２取り付け部を結ぶラインと、を更に備え、第１取り付け部のベッドの座面からの高さは、第２取り付け部のベッドの座面からの高さよりも高い。
【００３５】
この構成により、ベッド用アダプタは、フックとラインとによって、就寝動作と起床動作を分けて補助することができる。
【００３６】
本考案の第６の考案に係るベッド用アダプタでは、第１から第５のいずれかの考案に加えて、ラインは、第１取り付け部から第２取り付け部にかけて、たるみを有する。
【００３７】
この構成により、使用者は、ラインを手繰ることが容易となる。
【００３８】
本考案の第７の考案に係るベッド用アダプタでは、第６の考案に加えて、ラインのたわみは、調整可能である。
【００３９】
この構成により、ラインの手繰りがより容易となる。
【００４０】
本考案の第８の考案に係るベッド用アダプタでは、第１から第７のいずれかの考案に加えて、第１取り付け部は、ベッドの短手方向に略平行なバーを有し、ラインの一端およびフックは、バーに取り付けられる。
【００４１】
この構成により、ベッド用アダプタは、より効率的な構造を有することができる。
【００４２】
本考案の第９の考案に係るベッド用アダプタでは、第８の考案に加えて、フックは、バーにおいて、使用者がベッドに就寝する際に使用する側に取り付けられ、ラインは、使用者が起床する際に使用する側に取り付けられる。
【００４３】
この構成により、フックとラインとの役割分担が容易となる。
【００４４】
本考案の第１０の考案に係るベッド用アダプタでは、第１から第９のいずれかの考案に加えて、使用者が、フックを把持することを補助する手すりを更に備える。
【００４５】
この構成により、ベッド用アダプタは、使用者により優しい構造となる。
【００４６】
以下、図面を用いて、本考案の実施の形態について説明する。
【００４７】
（実施の形態）
【００４８】
実施の形態について説明する。
【００４９】
（全体概要パターン１）
まず、図１を用いて全体概要のパターン１について説明する。図１は、本考案の実施の形態１におけるベッド用アダプタのパターン１における斜視図である。
【００５０】
ベッド用アダプタ１００は、ベッドの上部に取り付け可能な第１取り付け部１と、第１取り付け部１に取り付け可能なフック３と、を備える。第１取り付け部１は、鉛直方向において、ベッド（図１では図示せず。図３、図４を参照すると、ベッドとベッド用アダプタ１００との関係が分かる）の座面と重なる位置に配置可能である。すなわち、第１取り付け部１（およびバー２）は、ベッドの座面の上方に位置するようになる。この結果、フック３も、ベッドの座面の上方に位置するようになる。第１取り付け部１は、バー２を有しており、フック３は、このバー２にぶら下がるように取り付けられている。これらの構造の結果、フック３は、第１取り付け部１への取り付け位置を基準に、回転可能である。
【００５１】
フック３は、吊手４によって、第１取り付け部１に繋がるバー２に取り付けられる。このため、フック３は、バー２において、つり革のようにぶら下がって取り付けられる。
【００５２】
フック３は、使用者により手で把持可能であり、使用者は、このフック３を把持して、ベッドの座面に寝たり、ベッドの座面から起き上がったりする。特に、第１取り付け部１は、ベッドの上部に取り付け可能である。加えて、第１取り付け部１に繋がるバー２は、ベッドの座面と重なる上方に位置する。結果的に、フック３は、ベッドの座面と重なる位置であって、ベッドの上部に位置するようになる。すなわち、ベッドに就寝する使用者の手の伸びる位置付近に、フック３が位置するようになる。これらの結果、使用者は、フック３を容易に把持でき、把持した上でフック３の回転を利用して、自らの姿勢方向の変更と姿勢態様の変更を行うことで、就寝と起床のそれぞれを、ベッド用アダプタ１００の助けを駆りながら行うことができる。
【００５３】
このように、ベッド用アダプタのパターン１の構成においては、フック３を取り付け可能な第１取り付け部１が、ベッドに取り付けられることによって、フック３の助けを借りつつ、使用者は自力でベッドへの就寝とベッドからの起床を行うことができる。もちろん、ベッド用アダプタ１００の助けを借りられるので、身体不自由者であっても、通常よりは、楽に就寝と起床が行える。しかも、自動式ベッドなどと異なり、最小限の自分の力を必要とすることで、身体不自由者に自立を促すこともでき、要介護者にすぐに移行してしまうことも防止される。
【００５４】
（全体概要パターン２）
次に、図２を用いて、全体概要のパターン２について説明する。図２は、本考案の実施の形態１におけるベッド用アダプタの斜視図である。図２は、本考案におけるベッド用アダプタのパターン２の態様を示している。
【００５５】
パターン２の態様に対応するベッド用アダプタ１０１は、図１のベッド用アダプタ１０１で説明した第１取り付け部１と対向する位置にある第２取り付け部５を有している。第２取り付け部５は、ベッドの下部に取り付け可能である。また、ベッド用アダプタ１０１は、第１取り付け部１と第２取り付け部５とを結ぶライン６を、更に備えている。また、第１取り付け部１のベッドの座面からの高さは、第２取り付け部５のベッドの座面からの高さよりも高い。このため、ベッド用アダプタ１０１がベッドに取り付けられた場合には、ライン６は、ベッドの上部からベッドの下部にかけて下っていくように繋がっている。
【００５６】
パターン２の態様に対応するベッド用アダプタ１０１は、ベッドに取り付けられると、第１取り付け部１からぶら下がるフック３と、第１取り付け部１と第２取り付け部５とを結ぶライン６の二つが備わるようになる。使用者は、このフック３とライン６の二つの部材を用いて、ベッドへの就寝とベッドからの起床を行う。
【００５７】
ベッドへの就寝においては、使用者はベッドの座面に腰掛けてから、身体の向きを変えつつ座面に寝転がる必要がある。この際には、使用者はフック３を手で把持して身体をさせることで、身体の向きを変えつつ、身体を寝かせるようにする。一方、ベッドからの起床においては、使用者は、ライン６を手で把持する。ライン６はベッドの上部から下部にかけて下っているので、このライン６の下り方に合わせて、使用者は徐々に身体を起こしていきながら起床する。
【００５８】
ここで、フック３は、パターン１のベッド用アダプタ１００で説明した通り、ベッド上部に取り付けられる第１取り付け部１に取り付けられてぶら下がる。このときぶら下がっているフック３の位置は、ベッドの座面に重なる位置にあるので、使用者は、寝たままでも寝る際でも簡単に手で把持できる。
【００５９】
ライン６は、ベッドの長手方向に渡って結ばれているので、ベッドの上方に延伸している。このため、使用者は、ベッドの長手方向に渡って、このライン６を把持することができるし、把持し続けることができる。
【００６０】
このように、パターン２のベッド用アダプタ１０１は、フック３とライン６とが、それぞれ異なる役割を果たすことで、身体不自由者にとってのベッドへの就寝とベッドからの起床を手助けする。フック３が、就寝の際の動作を助け、ライン６が起床の際の動作を助けるとの役割分担である。もちろん、実際には、使用者が自らの力と動作で就寝と起床を行うので、身体不自由者の自立を促すことができる。結果として、要介護者となるまでの期間を延ばすことができる。
【００６１】
（ベッドへの装着）
パターン１のベッド用アダプタ１００、およびパターン２のベッド用アダプタ１０１のそれぞれは、ベッドに装着されて用いられる。図３は、本考案の実施の形態１におけるベッド用アダプタが装着されるベッドの一例の斜視図である。図３のベッド１０は、一例であって、このような形状や構造以外のベッドであってもよい。このベッド１０に、パターン１のベッド用アダプタ１００やパターン２のベッド用アダプタ１０１が装着される。
【００６２】
ベッド１０は、就寝する人間の頭側となる上部１２と、足側となる下部１３と、使用者が就寝する面となる座面１１を備えている。上部１２および下部１３は、ベッド１０の外形を形成しつつ、ベッド用アダプタ１００、１０１の取り付けを可能とする構造や形状を有している。例えば、上部１２は、第１取り付け部１が取り付けられるので、図３のように上部１２が座面１１よりも上方に突出している。このような構造を有することで、第１取り付け部１が、上部１２に取り付けやすくなる。
【００６３】
また、第２取り付け部５は、下部１３に取り付けられるが、下部１３は、上部１２よりも低い位置にある。このため、ベッド用アダプタ１０１がベッド１０に取り付けられる際に、第１取り付け部１は、第２取り付け部５よりも座面１１より高い位置となる。
【００６４】
図３に示されるようなベッド１０に（もちろん、座面１１の下に足があったり、収納があったりしてもよい）、ベッド用アダプタ１００やベッド用アダプタ１０１が装着される。装着されることで、身体不自由者などの使用者が、このベッド用アダプタ１００、１０１の機能を活用して、就寝や起床動作を楽にかつ自力で行うことができる。
【００６５】
図４は、本考案の実施の形態１におけるベッド用アダプタを装着したベッドの斜視図である。図４のベッド１０は、パターン２のベッド用アダプタ１０１を装着している。このため、第１取り付け部１は、ベッド１０の上部１２に取り付けられる。第２取り付け部５は、ベッド１０の下部１３に取り付けられる。この結果、ベッド１０の座面１１の上方であって、上部１２に近い位置に、第１取り付け部１が位置するようになる。ここで、第１取り付け部１は、ベッド１０の短手方向に略平行なバー２を有している。このため、バー２は、第１取り付け部１の位置に従って、ベッド１０の座面１１の上方（鉛直方向において、座面１１と重なる位置）に配置されることになる。
【００６６】
第２取り付け部５は、ベッド１０の下部１３に取り付けられる。このとき、第２取り付け部５は、ベッド１０の下部１３に対応する部材と共通であってもよい。すなわち、第２取り付け部５そのものは、ベッド１０の下部１３に該当する部材そのものであってもよい。すなわち、ライン６が、ベッド１０の下部１３に取り付けられることで、このベッド１０の下部１３が第２取り付け部５の役割を果たすことになる。
【００６７】
第１取り付け部１についても、第２取り付け部５と同様である。第１取り付け部１は、ベッド１０の上部１２に取り付けられるが、第１取り付け部１は、ベッド１０の上部１２に対応する部材そのものであっても良い。ベッド１０に最初から第１取り付け部１（場合によっては、バー２も）が備わっている場合には、このベッド１０に備わっている部材が、第１取り付け部（バー２）となる。このため、ベッド１０の上部１２の部材そのものが、第１取り付け部１の役割を果たす場合もある。
【００６８】
ベッド用アダプタ１００、１０１として把握する場合には、第１取り付け部１および第２取り付け部５のそれぞれは、ベッド用アダプタ１００、１０１に備わる独立した部材として把握される。しかしながら、図４のように、ベッド１０にベッド用アダプタ１００、１０１が装着されている場合には、第１取り付け部１および第２取り付け部５のそれぞれは、ベッド１０の部材として（あるいはベッド１０とベッド用アダプタ１００、１０１との共通の部材として）把握されることもある。このため、第１取り付け部１および第２取り付け部５のそれぞれが、予めベッド１０に備わっており（ベッド１０の一部として）、フック３やライン６が、第１取り付け部１および第２取り付け部５のそれぞれとなりうるベッド１０の部位に取り付けられることでも良い。
【００６９】
ベッド用アダプタ１０１がベッド１０に取り付けられると、フック３とライン６とが、ベッド１０に取り付けられた状態となる。特に、第１取り付け部１がバー２を有する場合には、バー２にフック３とライン６が取り付けられる。このとき、バー２はベッド１０の短手方向と略平行であるので、フック３とライン６とは、ベッドの短手方向に並列に取り付けられるようになる。これらによって、ベッド１０の座面１１の上方であって、就寝した際の頭の上辺りに、フック３とライン６とがぶら下がっているような状態となる。もちろん、ライン６は、第１取り付け部１から第２取り付け部５にかけて取り付けられているので、ライン６は、使用者が就寝している際の、全身に渡って配置されることになる。
【００７０】
使用者は、フック３のみを用いて、就寝と起床の動作を行っても良い。就寝の際には、使用者（身体不自由者）は、フック３を把持した状態で、座面１１に座る。更に、フック３を把持した状態で、使用者はベッド１０に対して垂直方向の身体の向きを、ベッド１０に対して平行の向き（長手方向に沿った向き）に変えつつ、足を座面１１に乗せる。座面１１に身体が乗ったところで、フック３を把持して身体を支えながら、座面１１に背中を下ろして、就寝を行う。
【００７１】
次に、起床を行う際には、使用者はフック３を把持して上半身を起こす。このとき、身体の向きは、座面に平行である。更に、使用者は、フック３の回転を利用して、身体をひねりつつ、身体の向きを座面１１に垂直方向に変える（ベッド１０の端面に対向する様に変える）。フック３が、回転可能であることで可能である。更に、足をベッド１０の端面から外に出して、足で床面をとらえる。床面をとらえた後で、ベッド１０の一部やフック３を掴みながら、立ち上がって起床を完了する。
【００７２】
このように、フック３が座面１１の上方に配置され、フック３が回転可能であることで、身体不自由者などの使用者は、就寝および起床の動作を、自力で行いながらも、楽に行うことができる。
【００７３】
すなわち、フック３は、就寝時に必要となる、（１）立位から座面に腰を降ろす、（２）座面に座った状態で身体の向きを変える、（３）向きを変えてから座面に身体を降ろす、とのそれぞれを適切に補助できる。加えて、フック３は、起床に必要な動作である、（４）上半身を座面より浮かせる、（５）上半身を浮かしつつ、座面においてからだの向きを変える、（６）からだの向きを変えつつ上半身を完全に起こす、との動作を補助できる。これらの結果、パターン１のベッド用アダプタ１００が、ベッド１０に装着されると、身体不自由者である使用者の就寝と起床を助けることができる。このとき、フック３の補助を借りているとはいえ、自身の力で就寝と起床を行うのであるから、身体不自由者の自立を促している。この結果、自動ベッドなどに依存することで、身体不自由者（ちょっと身体の衰えを感じている人、高齢であるだけの人など）が、簡単に要介護者に移行してしまうことを防止できる。結果として、介護や医療といったコストを、低減できるメリットもある。
【００７４】
次に、パターン２のベッド用アダプタ１０１を用いた、就寝と起床の動作について説明する。
【００７５】
（使用方法）
使用者は、フック３を就寝の際に使用し、ライン６を起床の際に使用するように、使い方を分ける。図５〜図８を用いて、パターン２のベッド用アダプタ１０１を用いる場合の、使用者による就寝と起床の方法について説明する。
【００７６】
（就寝動作）
図５は、本考案の実施の形態１におけるベッド用アダプタによる就寝開始を示す斜視図である。図６は、本考案の実施の形態１におけるベッド用アダプタによる就寝移行を示す斜視図である。図５，図６は、身体不自由者などの使用者２０が使用している状態を模式的に示している。ベッド１０には、パターン２であるベッド用アダプタ１０１が装着されている。このため、使用者２０の頭側であって、座面１１の上方にフック３がぶら下がっている。加えて、第１取り付け部１から第２取り付け部５にかけて、ライン６が繋がっている。このとき、ベッド１０の座面１１を基準として、第１取り付け部１は、第２取り付け部５よりもその高さが高い。また、ライン６は、たるみを有している。
【００７７】
また、ベッド１０は、手すり１４を備えている。手すり１４は、使用者がフック３を把持する際の補助となったり、使用者が座面１１に腰掛けたりする際の補助となったりする。もちろん、手すり１４は、オプションであり、本考案においいて必須の構成要件ではない。
【００７８】
使用者２０は、図５に示されるように、フック３を手で把持しながら、ベッド１０の座面１１に横向きに腰掛ける（座面１１の短手方向に沿って腰掛ける）。フック３は、ベッド１０の上部（頭側）にあるので、使用者２０は、ベッドの横側からフック３を把持した状態でベッド１０の座面１１に腰掛けることができる。このとき、図５に示されるように、使用者２０は、手すり１４の助けも借りてベッド１０の座面１１に腰掛ける。
【００７９】
ベッドの座面１１に腰掛けた使用者２０は、次に、フック３を把持した状態で、身体をひねりつつ座面１１に身体を乗せる。図６に示される状態である。このとき、フック３は、回転可能であるので、使用者２０は、フック３を把持したまま身体をひねることができる。言い換えれば、使用者２０は、把持しているフック３の回転を利用して、身体をひねることができる。
【００８０】
ここで、フック３は、その外形がベッド１０の長手方向に沿った状態でぶら下がっていることが好適である。図５に示されるように、最初の時点では使用者２０は、ベッド１０の側面に腰掛けることになる。このとき、フック３の外形がベッド１０の長手方向に沿っていることで、使用者２０は、フック３を把持しやすくなる。手の把持方向に、フック３の外形が平行となるからである。使用者２０は、ベッド１０の座面１１に腰掛けた後で、把持しているフック３の回転を利用して、まず足をベッド１０の座面１１に上げる。次いで、その勢いを利用しつつ、回転を用いて、身体をひねって、ベッド１０の座面１１の長手方向に沿った向きに、身体を向けるようにする。
【００８１】
図６の状態まで到達した後で、使用者２０は、フック３を離して、就寝を完了させる。このときも、フック３はバー２からぶら下がっているので、使用者２０は、枕に頭が近づいた後でフック３から手を離せばよいことになる。このため、使用者２０は、安心感をもって、フック３から手を離すことができる。
【００８２】
ベッド用アダプタ１０１は、就寝動作を、（１）立位から座面に腰を降ろす、（２）座面に座った状態で身体の向きを変える、（３）向きを変えてから座面に身体を降ろす、とのそれぞれに分離して、フック３にこれら（１）〜（３）の補助を行わせている。この結果、使用者２０が高齢者や身体の弱っている（あるいは怪我をしている）身体不自由者である場合でも、使用者２０の就寝動作を適切に補助する。
【００８３】
また、図５、図６の流れにおいて、使用者２０は、フック３の把持とフック３の回転を利用した姿勢の変更を行うのに際して力を使用するが、フック３が無い場合に比べると、足腰、背筋、腹筋のそれぞれに必要となる力は少なくて済む。このため、ベッド用アダプタ１０１が無い場合よりも、当然に動作は楽である。とはいえ、フック３を把持する腕力や身体の全体的な力を使うわけであるので、使用者２０の自立は促されている。この結果、使用者２０が、過剰な保護を受けて、要介護者になってしまうことが防止される。いわゆる介護予防が実現できる。
【００８４】
（起床動作）
図７、図８は、本考案の実施の形態１における起床を説明する説明図である。使用者２０は、起床する際には、ライン６を使用する。ライン６は、第１取り付け部１から第２取り付け部５にかけて繋がっている。第１取り付け部１は、第２取り付け部５よりも座面１１から高い位置にあるので、ライン６は、就寝している使用者２０の頭において高く、足に近づくにつれて低くなるように繋がっている。
【００８５】
使用者２０は、まず図７に示されるように、寝ている状態で、自分の上方にあるライン６を把持する。ライン６は、自分の頭の上にあるので、把持するのは簡単である。ライン６は、たるみを有しているので、把持した部分が下に下りてくるので、使用者２０は、把持した部分を基点に力を入れやすい。使用者２０は、把持した部分に力を入れて、自身の上半身（特にまず頭部から）を起こす。このとき、ライン６を基準とするので、身体は座面１１に対して平行であり、座面１１の上向きに向いている。
【００８６】
次に、使用者２０は、ライン６を徐々に下側に手繰りながら身体を起こしていく。図８は、この状態を示している。ライン６が使用者２０の頭部から足部にかけて下っていることで、この下っているライン６を徐々にたどる動作を行うだけで、自然と身体が起き上がってくる。図８においては、使用者２０の上半身はほとんど起き上がっている。この状態までは、足も含めて使用者２０の身体は座面１１の上に乗っており、身体は、座面１１に平行であって上向きの姿勢を有している。また、ライン６が第１取り付け部１から第２取り付け部５に向けて下がっていることで、身体が起き上がったときには、ライン６を手放しても大丈夫な位置にライン６が存在する状態となる。ライン６がたるみを有していることで、手繰り寄せることも容易となる。
【００８７】
図８に到達した後で、使用者２０は、身体の向きをベッドの側面側に向けて、座面１１から足を下ろすことで、起床動作を完了できる。
【００８８】
すなわち、ライン６は、使用者２０の起床動作を、（４）上半身を座面より浮かせる、（５）上半身を浮かしつつ、座面においてからだの向きを変える、（６）からだの向きを変えつつ上半身を完全に起こす、との要素に分けた上で、これらを補助する。この結果、使用者２０にとっては、起床動作が楽になる。とはいえ、ライン６を手繰り寄せながら、身体を起こす動作においては、使用者２０自身が、腕力や身体全体の力を用いるので、自立した動作を促している。身体の衰えを加速させることも少ない。これらの結果、ベッド用アダプタ１０１は、身体不自由者の起床動作を楽にしつつも、自立を促し、要介護者への移行を防止できるようになる。
【００８９】
このように、ベッド用アダプタ１０１は、就寝動作を主にフック３で補助し起床動作を主にライン６で補助するように、就寝と起床動作に対応する役割分担を行う事で、使用者２０の就寝と起床を適切に補助できる。もちろん、実際に使用者２０が使用する際に、就寝の際にライン６を用いたり、起床の際にフック３を用いたり（動作の一部もしくは全部において）しても問題はない。
【００９０】
このように、ベッド用アダプタ１０１は、フック３とライン６の役割を分離するので、フック３は、バー２において使用者２０が就寝する際に使用するベッド１０の側面側に取り付けられ、ライン６は、その逆の側面側に取り付けられることも好適である。仮に、ベッド１０が広い場所に置かれる場合には、使用者２０は、フック３がぶら下がっている側面から就寝動作を行い、逆の側面から起床するようにベッド１０の側面同士を使い分けても良い。
【００９１】
以上、図５〜図８を用いて説明したように、ベッド用アダプタ１０１が、ベッド１０に装着された場合には、使用者２０は、フック３とライン６とを使い分けながら、就寝と起床を行う。
【００９２】
次に、各部の詳細について説明する。
（第１取り付け部）
第１取り付け部１は、ベッド１０の上部に装着される。ベッド用アダプタ１００、１０１が独立した部品や商品として流通する場合には、第１取り付け部１は、ベッド用アダプタ１００、１０１を構成する部材として設けられる。一方で、ベッド用アダプタ１００、１０１が装着されたベッド１０として流通する場合には、第１取り付け部材１は、ベッド１０の上部の部材と一体で把握されることもありうる。もちろん、別体で考えられても良い。要は、フック３やライン６を取り付けることができる部材であればよい。
【００９３】
第１取り付け部１は、第２取り付け部５よりも、座面１１から高い位置にある。また、第１取り付け部１は、ベッド１０の短手方向と略平行となるバー２を備えることも好適である。このバー２に、フック３やライン６がぶら下がればよい。もちろん、バー２を含めて、第１取り付け部１として把握されれば良い。
【００９４】
第１取り付け部１は、木材、竹材、樹脂、金属など、種々の素材で形成されれば良い。ベッド１０と同一の素材であってもよいし、異なる素材であってもよい。フック３やライン６を通じて使用者の体重が掛かるので、十分な耐久性や強度があることが好ましい。
【００９５】
（第２取り付け部）
第２取り付け部５は、ベッド１０の下部に装着される。ベッド用アダプタ１０１の場合に、第２取り付け部５が備えられる。第２取り付け部５も、ベッド１０と別体の独立した部材として把握されても良いし、ベッド１０の一部と同じものとして把握されても良い。ベッド用アダプタ１０１が独立して流通する場合には、ベッド１０と異なる独立した部材として第２取り付け部５が備わっていてもよい。ベッド用アダプタ１０１が装着されたベッド１０として流通する場合には、第２取り付け部５がベッド１０の一部として把握されても良い。
【００９６】
第２取り付け部５は、ライン６を取り付けることができる。ライン６は、第１取り付け部１と第２取り付け部５に繋がっている。このとき、ライン６がベッド１０の上部から下部にかけて下っていくように、第２取り付け部５は、第１取り付け部１よりも高さが低い。これは、第２取り付け部５の形状で実現されても良いし、第２取り付け部５の装着状態で実現されても良い。このため、第１取り付け部１および第２取り付け部５のそれぞれは、ライン６を取り付けできる構造を有していることが好ましい。例えば図５に示される様に、紐状のライン６が引っ掛けられる構造を有している。
【００９７】
第２取り付け部５も、第１取り付け部１と同様に、木材、竹材、樹脂、金属など、種々の素材で形成されれば良い。ベッド１０と同一の素材であってもよいし、異なる素材であってもよい。フック３やライン６を通じて使用者の体重が掛かるので、十分な耐久性や強度があることが好ましい。
【００９８】
（フック）
フック３は、使用者によって把持されるので、把持されやすい形状や構造を有していることが好ましい。例えば、フック３は、略三角形、略円形、略楕円形、略多角形の少なくとも一つの外形を有するリング状である。リング状であることで外周と内部開口とが存在し、使用者２０は、容易に把持できるようになる。
【００９９】
図５などでは、フック３は、略三角形の外形を有している。いわゆるトライアングル形状を有している。フック３がこのような形状であることで、使用者２０は、その外周を手で掴むことができるようになり把持できる。もちろん、略円形や略楕円形である場合でも、その外周を手で掴むことができるので、把持しやすくなる。
【０１００】
もちろん、リング状であるといっても、外周の一部に欠けた部分があってもよい。要は、フック３は把持されやすい形状を有していることが必要であり、厳密なリング形状を必要とするものではない。
【０１０１】
また、フック３の外形は、ベッド１０の長手方向と略平行になるように、通常状態ではバー２にぶら下がっていることも好適である。図５を用いて説明したように、使用者がベッド１０の側面に腰掛けて身体の向きを変え始める際には、まずベッド１０の長手方向に沿って手を伸ばす。このため、使用者２０は、ベッド１０の長手方向に沿ったフック３のほうが、把持しやすい。その後に、フック３が回転するのに合わせて、フック３の外周が、ベッド１０の長手方向に交差するようになるのが適当である。
【０１０２】
また、フック３は、その高さ（座面１１からの高さ）を調整可能であることも好ましい。例えば、フック３を吊り下げる紐が伸縮可能であれば良い。調整可能であることで、使用者２０の体格や身体能力に応じて、最適なフック３の把持が可能となる。
【０１０３】
また、フック３の高さは、把持している最中に伸縮自在であることも好適である。例えば、フック３は、弾性体によってバー２と接続されており、使用者２０が把持して力を入れた場合には、弾性体が伸びてフック３の高さは下がってくる。一方、使用者２０が、把持する力を弱めると、弾性体の収縮力が働いて、フック３を上方に引き上げる。使用者２０が、把持する力を強めるときは、身体を座面１１に近づけたいときであるので、弾性体が伸びてフック３の高さが下がってくることが好ましいことがある。このような状況へ対応できるように、フック３が弾性体などによって伸縮性を有していることも好適である。
【０１０４】
あるいは、フック３は、円形や楕円形の外周を有し、この外周を横方向につなぐ板材を複数もうける構造を有してもよい。すなわち、略目のような形状を有しており、使用者はこの横方向に備わる板材を把持することで、フック３を把持できる。横方向の板材が複数であることで、使用者は把持する板材を順々に変えることで、身体を座面に近づけたり、座面から遠ざけたりすることができるようになる。あるいは、横方向に備わる板材のそれぞれの太さが異なることも好適である。太さが異なれば、使用者は把持しやすい板材を選んで把持でき、利便性が高いからである。
【０１０５】
（ライン）
ライン６は、第１取り付け部１から第２取り付け部５を結ぶように取り付けられている。また、ライン６は、たるみを有しつつ、第１取り付け部１から第２取り付け部５にかけて下っていくように取り付けられている。図７，８を用いて説明したように、使用者２０は、ライン６を把持し、手繰ることで自分の身体を徐々に上に上げていくことができる。このとき、ライン６が第１取り付け部１から第２取り付け部５にかけて下っているので、身体の起き上がりに合わせて、ライン６も下がってくることになる。この結果、使用者２０は、ライン６を手繰るだけで身体を起き上がらせることができる。
【０１０６】
ライン６を用いることによって、使用者２０は、容易に身体を起こすことができる。上半身が起きた後で、ライン６やフック３を用いて、使用者２０は、身体の向きを変えてベッド１０から降りることができるようになる。ライン６は、使用者２０の起床動作を助けつつも、使用者２０の自力での動作を促す。
【０１０７】
ライン６は、紐やロープ状の部材などであればなんでもよい。ベルトのような紐であることで、使用者２０は、把持しやすくなる。ライン６は、市販の紐、ロープ、ベルトなど、種々のものが適用されれば良い。
【０１０８】
また、ライン６は、第１取り付け部１と第２取り付け部５のそれぞれに、端部が取り付けられることで装着される。このため、ベッド用アダプタ１０１として流通する際には、ライン６が取り付けられていない状態でもよい。ライン６が第１取り付け部１や第２取り付け部５とセットで販売され、使用者２０において組み立てられることでもよい。これは、フック３も同様である。また、ライン６は、市販品の紐、ロープ、ベルトなどが適用されれば良いので、購入者は、ライン６のみを別途に購入して装着することもある。この場合には、ベッド用アダプタ１０１は、第１取り付け部１、第２取り付け部５、フック３のみのセットで販売されることもあるが、購入者によって別途購入されたライン６が装着された場合でも、ベッド用アダプタ１０１と同じものである。これは、フック３も同様であるし、ベッド１０と一体化した第１取り付け部１や第２取り付け部５も同様である。少なくとも一つの要素が欠けた状態で、ベッド用アダプタが製造、販売された場合でも、最終的に使用者の試用段階で、ベッド用アダプタ１０１と同じ要素を有するようになれば、本考案のベッド用アダプタ１０１を製造、販売したものである。
【０１０９】
また、ライン６は、たるみを有していることが好適であるが、たるみの量が調整可能であることも好適である。使用者２０の体形や体力などに対応できるようになるからである。
【０１１０】
（手すり）
手すり１４は、必要に応じて設けられればよい。図６などでは、ベッド１０の側面に設けられているが、他の部位に設けられても良い。手すり１４は、使用者２０の身体を支えるのに用いられる。手すり１４は、ベッド１０の片側の側面に設けられても良いし、両方の側面に設けられても良い。
【０１１１】
以上のように、実施の形態１におけるベッド用アダプタ１００、１０１は、使用者２０の就寝および起床のそれぞれの動作を助ける。加えて、自力での動作を促すので、使用者２０である身体不自由者の自立を促すこともできる。自立が促されることで、身体不自由者が要介護者に陥るのを低減できる。結果として、介護予防が図られる。
【０１１２】
（実施の形態２）
【０１１３】
次に、実施の形態２について説明する。
【０１１４】
実施の形態２は、実施の形態１で説明したベッド用アダプタ１００、１０１を装着したベッドを説明する。図９は、本考案の実施の形態２におけるベッドの斜視図である。ベッド３０は、実施の形態１で説明したベッド用アダプタ１０１が装着されている。ベッド３０は、座面１１を有し、第１取り付け部１と第２取り付け部５がベッドに装着されることで（あるいは、ベッドの一部であることで）、ベッド用アダプタ１０１が装着されたベッド３０が実現される。
【０１１５】
フック３やライン６は、取り外し可能であるので、購入者や使用者が、フック３やライン６の備わっていないベッド３０に対して、後からフック３やライン６を取り付けることでもよい。ベッド３０は、上部１２と下部１３とを備えており、この上部１２に第１取り付け部１が装着され、下部１３に第２取り付け部５が装着される。この結果、ベッド用アダプタ１０１が装着されたベッド３０が完成する。
【０１１６】
ベッド用アダプタ１０１などで流通するだけでなく、ベッド用アダプタ１０１が装着されたベッド３０として流通することで、購入者の手間を省くことができる。購入者は、ベッド３０を購入してすぐに、ベッド用アダプタ１０１による補助を受ける就寝・起床を行うことができる。フック３やライン６による就寝動作と起床動作の役割分担によって、使用者が容易に就寝や起床が行えることは、実施の形態１で説明した通りである。
【０１１７】
ベッド３０は、図９に示される形状だけでなく、様々な形状を有していてもよい。座面１１にマットレスが備わっていたり、ベッドサイズが大きかったりしても良い。いずれの場合であっても、ベッド用アダプタ１０１によって、身体不自由者である使用者は、就寝と起床を容易に行うことができる。当然ながら、自力で行うことができるので、身体不自由者の自立を促すこともできる。
【０１１８】
以上、実施の形態１、２で説明されたベッド用アダプタおよびベッドは、本考案の趣旨を説明する一例であり、本考案の趣旨を逸脱しない範囲での変形や改造を含む。
【符号の説明】
【０１１９】
１    第１取り付け部
２    バー
３    フック
５    第２取り付け部
６    ライン
１０    ベッド
１１    座面
１２    上部
１３    下部
１４    手すり
２０    使用者
３０    ベッド
１００、１０１    ベッド用アダプタ
【図１】
0003172953.tif 000003
【図２】
0003172953.tif 000004
【図３】
0003172953.tif 000005
【図４】
0003172953.tif 000006
【図５】
0003172953.tif 000007
【図６】
0003172953.tif 000008
【図７】
0003172953.tif 000009
【図８】
0003172953.tif 000010
【図９】
0003172953.tif 000011
【手続補正書】
【提出日】平成23年11月16日(2011.11.16)
【手続補正１】
【補正対象書類名】実用新案登録請求の範囲
【補正対象項目名】全文
【補正方法】変更
【補正の内容】
【実用新案登録請求の範囲】
【請求項１】
ベッドの上部に取り付け可能であって、バーおよび前記バーを支持する一対の支持部で構成される第１取り付け部と、
前記第１取り付け部に取り付けされる人の手で把持可能なリング状を有するフックと、を備え、
前記第１取り付け部は、前記支持部がベッドの上部より下部方向に斜めに延伸することで、鉛直方向において、前記ベッドの座面と重なる位置に、配置可能であり、
前記フックは、前記バーより紐で接続されてぶら下がり、この紐のねじれによって、前記第１取り付け部の取り付け位置を基準に、回転可能である、ベッド用アダプタ。
【請求項２】
前記フックの有するリング状は、略三角形、略円形、略楕円形および略多角形のいずれかである、請求項１記載のベッド用アダプタ。
【請求項３】
前記フックの外形が前記ベッドの長手方向に略平行となるように、前記フックは、前記第１取り付け部に取り付けられる、請求項１又は２記載のベッド用アダプタ。
【請求項４】
前記フックは、前記ベッドの座面からの高さを調整可能である、請求項１から３のいずれか記載のベッド用アダプタ。
【請求項５】
前記ベッドの下部に取り付け可能であって、取り付け孔を有する板状の第２取り付け部と、
前記第１取り付け部および前記第２取り付け部を結ぶように取り付けられ、人の手で把持しつつ手繰り寄せることのできる紐状部材であるラインと、を更に備え、
前記第１取り付け部の前記ベッドの座面からの高さは、前記第２取り付け部の前記ベッドの座面からの高さよりも高い、請求項１から４のいずれか記載のベッド用アダプタ。
【請求項６】
前記ラインは、前記第１取り付け部から前記第２取り付け部にかけて、たるみを有する、請求項５記載のベッド用アダプタ。
【請求項７】
前記ラインのたわみは、調整可能である、請求項６記載のベッド用アダプタ。
【請求項８】
前記フックおよび前記ラインの一端は、前記バーに取り付けられ、前記フックは、前記バーにおいて、使用者が前記ベッドに就寝する際に使用する側に取り付けられ、前記ラインの一端は、使用者が起床する際に使用する側に取り付けられる、請求項５から７のいずれか記載のベッド用アダプタ。
【請求項９】
使用者が、前記フックを把持することを補助する手すりを更に備える、請求項１から８のいずれか記載のベッド用アダプタ。
【請求項１０】
請求項５から９のいずれか記載のベッド用アダプタと、
前記第１取り付け部が取り付けられる上部と、
前記第２取り付け部が取り付けられる下部と、
前記上部と前記下部に広がる座面と、を備えるベッド。
【手続補正２】
【補正対象書類名】明細書
【補正対象項目名】００２１
【補正方法】変更
【補正の内容】
【００２１】
上記課題を解決するために、本考案のベッド用アダプタは、ベッドの上部に取り付け可能であって、バーおよびバーを支持する一対の支持部で構成される第１取り付け部と、第１取り付け部に取り付けされる人の手で把持可能なリング状を有するフックと、を備え、第１取り付け部は、支持部がベッドの上部より下部方向に斜めに延伸することで、鉛直方向において、ベッドの座面と重なる位置に、配置可能であり、フックは、バーより紐で接続されてぶら下がり、この紐のねじれによって、第１取り付け部の取り付け位置を基準に、回転可能である。
【手続補正３】
【補正対象書類名】明細書
【補正対象項目名】００２６
【補正方法】変更
【補正の内容】
【００２６】
本考案の第１の考案に係るベッド用アダプタは、ベッドの上部に取り付け可能であって、バーおよびバーを支持する一対の支持部で構成される第１取り付け部と、第１取り付け部に取り付けされる人の手で把持可能なリング状を有するフックと、を備え、第１取り付け部は、支持部がベッドの上部より下部方向に斜めに延伸することで、鉛直方向において、ベッドの座面と重なる位置に、配置可能であり、フックは、バーより紐で接続されてぶら下がり、この紐のねじれによって、第１取り付け部の取り付け位置を基準に、回転可能である。
【手続補正４】
【補正対象書類名】明細書
【補正対象項目名】００２８
【補正方法】変更
【補正の内容】
【００２８】
本考案の第２の考案に係るベッド用アダプタでは、第１の考案に加えて、フックの有するリング状は、略三角形、略円形、略楕円形および略多角形のいずれかである。
【手続補正５】
【補正対象書類名】明細書
【補正対象項目名】００３６
【補正方法】変更
【補正の内容】
【００３６】
本考案の第６の考案に係るベッド用アダプタでは、第５の考案に加えて、ラインは、第１取り付け部から第２取り付け部にかけて、たるみを有する。
【手続補正６】
【補正対象書類名】明細書
【補正対象項目名】００４０
【補正方法】削除
【補正の内容】
【手続補正７】
【補正対象書類名】明細書
【補正対象項目名】００４１
【補正方法】削除
【補正の内容】
【手続補正８】
【補正対象書類名】明細書
【補正対象項目名】００４２
【補正方法】変更
【補正の内容】
【００４２】
本考案の第８の考案に係るベッド用アダプタでは、第５から第７のいずれかの考案に加えて、フックおよびラインの一端は、バーに取り付けられ、フックは、バーにおいて、使用者がベッドに就寝する際に使用する側に取り付けられ、ラインの一端は、使用者が起床する際に使用する側に取り付けられる。
【手続補正９】
【補正対象書類名】明細書
【補正対象項目名】００４４
【補正方法】変更
【補正の内容】
【００４４】
本考案の第９の考案に係るベッド用アダプタでは、第１から第８のいずれかの考案に加えて、使用者が、フックを把持することを補助する手すりを更に備える。